(57)【要約】【課題】  作図効率が高いＣＡＤ装置、シンボルの作成が容易なシンボル作成装置、コンピュータに組み込まれてコンピュータをそのようなＣＡＤ装置として動作させるＣＡＤプログラム、およびコンピュータに組み込まれてコンピュータをそのようなシンボル作成装置として動作させるシンボル作成プログラムを提供する。【解決手段】  複数のピンを備えた電子部品の各ピンが有する属性が記載された一覧表を表した表データ（シンボルデータ）を入手するシンボルデータ読込部４１０と、  表データ入手部で入手された表データが表す一覧表に記載された各属性と同じ属性を有する各シンボルピンを、電子部品を表した部品シンボルに、その一覧表における属性の記載位置に対応する配置で付与するシンボル作成部４３０とを備えている。【選択図】        図４
2006059102.tif 000002
【特許請求の範囲】
【請求項１】
操作に応じた位置に部品シンボルを配置して図面を作成する作図機能と、該部品シンボルを作成するシンボル作成機能とを有するＣＡＤ装置において、
複数のピンを備えた電子部品の各ピンが有する属性が記載された一覧表を表した表データを入手する表データ入手部と、
前記表データ入手部で入手された表データが表す一覧表に記載された各属性と同じ属性を有する各シンボルピンを、前記電子部品を表した部品シンボルに、該一覧表における属性の記載位置に対応する配置で付与するシンボルピン配置部とを備えたものであることを特徴とするＣＡＤ装置。
【請求項２】
前記シンボルピン配置部が、前記一覧表中の空欄を、前記シンボルピンが存在しない位置として取り扱うものであることを特徴とする請求項１記載のＣＡＤ装置。
【請求項３】
操作に応じた位置に部品シンボルを配置して図面を作成するＣＡＤ装置で用いられる部品シンボルを作成するシンボル作成装置において、
複数のピンを備えた電子部品の各ピンが有する各属性が記載された一覧表を表した表データを入手する表データ入手部と、
前記表データ入手部で入手された表データが表す一覧表に記載された各属性と同じ属性を有する各シンボルピンを、前記電子部品を表した部品シンボルに、該一覧表における属性の記載位置に対応する配置で付与するシンボルピン配置部とを備えたことを特徴とするシンボル作成装置。
【請求項４】
コンピュータに組み込まれて該コンピュータを、操作に応じた位置に部品シンボルを配置して図面を作成する作図機能と、該部品シンボルを作成するシンボル作成機能とを有するＣＡＤ装置として動作させるＣＡＤプログラムであって、
前記コンピュータ上に、
複数のピンを備えた電子部品の各ピンが有する属性が記載された一覧表を表した表データを入手する表データ入手部と、
前記表データ入手部で入手された表データが表す一覧表に記載された各属性と同じ属性を有する各シンボルピンを、前記電子部品を表した部品シンボルに、該一覧表における属性の記載位置に対応する配置で付与するシンボルピン配置部とを構築することを特徴とするＣＡＤプログラム。
【請求項５】
コンピュータに組み込まれて該コンピュータを、操作に応じた位置に部品シンボルを配置して図面を作成するＣＡＤ装置で用いられる部品シンボルを作成するシンボル作成装置として動作させるシンボル作成プログラムであって、
前記コンピュータ上に、
複数のピンを備えた電子部品の各ピンが有する各属性が記載された一覧表を表した表データを入手する表データ入手部と、
前記表データ入手部で入手された表データが表す一覧表に記載された各属性と同じ属性を有する各シンボルピンを、前記電子部品を表した部品シンボルに、該一覧表における属性の記載位置に対応する配置で付与するシンボルピン配置部とを構築することを特徴とするシンボル作成プログラム。
【発明の詳細な説明】
【技術分野】
【０００１】
本発明は、操作に応じて図面を作成するＣＡＤ装置、そのＣＡＤ装置で用いられるシンボルを作成するシンボル作成装置、コンピュータをＣＡＤ装置として動作させるＣＡＤプログラム、およびコンピュータをシンボル作成装置として動作させるシンボル作成プログラムに関する。
【背景技術】
【０００２】
従来より、いわゆるＣＡＤ（Ｃｏｍｐｕｔｅｒ−Ａｉｄｅｄ  Ｄｅｓｉｇｎ）装置と称される作図装置が種々の分野で利用されており、例えば、電気回路設計の分野や、電力系統管理の分野（例えば特許文献１参照）や、建築分野（例えば特許文献２参照）などで利用されている。このようなＣＡＤ装置における通常の作図作業は、マウスやキーボードを用いて線や部品やシンボルを画面上に配置する作業である。
【０００３】
また、ＣＡＤ装置を用いた作図作業の簡略化を図るための提案も知られている（例えば特許文献２、特許文献３参照）。これらの文献では、図面上の座標を記述したデータの入力を受けて、その記述通りに線や部品を図面上に配置するＣＡＤ装置が提案されている。
【特許文献１】特開２００３−２０８３４０号公報
【特許文献２】特開２００２−１５２７１号公報
【特許文献３】特開２００２−２３００５２号公報
【特許文献４】特開平１０−１４９３７５号公報
【発明の開示】
【発明が解決しようとする課題】
【０００４】
ところで、特に電子回路設計の分野では、ＬＳＩなどの技術進歩に伴って、いわゆるチップ部品の利用による回路の小型化が日常化している。このようなチップ部品は、大規模な回路の集積体であって、このチップ部品を用いた回路設計の際には、そのチップ部品の内部回路の構造はブラックボックスとして扱われ、そのチップ部品に対する信号の入出力などが設計されることとなる。これによって設計の手間は軽減される。
【０００５】
回路設計時にはチップ部品を表したシンボルがＣＡＤ装置に登録され、回路図上にはそのシンボルが描画されることとなる。チップ部品には、信号入出力などに用いられる多数のピンが存在し、シンボル上では、これら多数のピンそれぞれに対して、信号の種類や入出力の形態などといった属性が定義されなければならない。従来のＣＡＤ装置では、シンボルの雛形として、サイズの変更などが可能で、各ピンの属性が未定義のものが用いられ、マウス操作によるピン選択とキーボード操作やマウス操作による属性入力が各ピンについて繰り返されることによって、実際に回路図上に描画されるシンボルが作成される。
【０００６】
しかし、近年ではピン数がますます増大して数百〜数千にも達しているため、上述した操作によるシンボルの作成は極めて煩雑であり、作図効率の低下を招いている。また、一般に、回路図における配線などの描画位置と実際の界路上における配線場所とは異なっているので、シンボル上のピン位置も、実際のチップ部品におけるピン位置とは異なっていることが多く、回路図における配線の描画スペースを確保するために、１つのチップ部品を複数のシンボルに分割して表現することも多い。このため、同一のチップ部品を用いた回路の設計であっても、異なる回路の設計に際しては、設計者の好みなどに応じたシンボルの新たな定義が必要となり、作図作業の更なる効率低下を生じる。
【０００７】
本発明は上記事情に鑑み、作図効率が高いＣＡＤ装置、シンボルの作成が容易なシンボル作成装置、コンピュータに組み込まれてコンピュータをそのようなＣＡＤ装置として動作させるＣＡＤプログラム、およびコンピュータに組み込まれてコンピュータをそのようなシンボル作成装置として動作させるシンボル作成プログラムを提供することを目的とする。
【課題を解決するための手段】
【０００８】
上記目的を達成する本発明のＣＡＤ装置は、
操作に応じた位置に部品シンボルを配置して図面を作成する作図機能と、部品シンボルを作成するシンボル作成機能とを有するＣＡＤ装置において、
複数のピンを備えた電子部品の各ピンが有する属性が記載された一覧表を表した表データを入手する表データ入手部と、
表データ入手部で入手された表データが表す一覧表に記載された各属性と同じ属性を有する各シンボルピンを、電子部品を表した部品シンボルに、その一覧表における属性の記載位置に対応する配置で付与するシンボルピン配置部とを備えたものであることを特徴とする。
【０００９】
本発明のＣＡＤ装置によれば、ＣＡＤ装置のユーザは、一覧表で各ピンの属性を定義することができるとともに、その一覧表上に属性を記載するだけで最終的なシンボルピンの位置が決定されることとなる。従ってピン選択と属性入力とを繰り返す手間が緩和されて作業効率が向上する。なお、部品シンボル上でのシンボルピンの位置は等間隔に配置されることが普通なので、ＣＡＤ装置は、単純な変換アルゴリズムなどによって、一覧表上の記載位置からシンボル上のピン配置を決定することができる。
【００１０】
また、ユーザは、このような一覧表を、使い慣れた表計算ソフトウェアなどを利用することで容易に作成することもでき、作業効率の更なる向上を図ることができる。
【００１１】
本発明のＣＡＤ装置において、上記シンボルピン配置部が、上記一覧表中の空欄を、シンボルピンが存在しない位置として取り扱うものであることは好適である。
【００１２】
部品シンボル上では、回路図における視認性の向上などを目的として、しばしば、シンボルピンがグループ分けされて隙間を空けて記述される。上記の好適なＣＡＤ装置によれば、このようなグループ分けの隙間は、一覧表中に空欄が設けられることで容易に定義される。
【００１３】
上記目的を達成する本発明のシンボル作成装置は、
操作に応じた位置に部品シンボルを配置して図面を作成するＣＡＤ装置で用いられる部品シンボルを作成するシンボル作成装置において、
複数のピンを備えた電子部品の各ピンが有する各属性が記載された一覧表を表した表データを入手する表データ入手部と、
表データ入手部で入手された表データが表す一覧表に記載された各属性と同じ属性を有する各シンボルピンを、電子部品を表した部品シンボルに、その一覧表における属性の記載位置に対応する配置で付与するシンボルピン配置部とを備えたことを特徴とする。
【００１４】
本発明のシンボル作成装置によれば、本発明のＣＡＤ装置と同様に、一覧表によって部品シンボルが作成されるので、部品シンボルの作成が容易である。
【００１５】
上記目的を達成する本発明のＣＡＤプログラムは、
コンピュータに組み込まれてそのコンピュータを、操作に応じた位置に部品シンボルを配置して図面を作成する作図機能と、部品シンボルを作成するシンボル作成機能とを有するＣＡＤ装置として動作させるＣＡＤプログラムであって、
上記コンピュータ上に、
複数のピンを備えた電子部品の各ピンが有する属性が記載された一覧表を表した表データを入手する表データ入手部と、
表データ入手部で入手された表データが表す一覧表に記載された各属性と同じ属性を有する各シンボルピンを、電子部品を表した部品シンボルに、その一覧表における属性の記載位置に対応する配置で付与するシンボルピン配置部とを構築することを特徴とする。
【００１６】
本発明のＣＡＤプログラムによれば、本発明のＣＡＤ装置をコンピュータによって容易に実現することができる。
【００１７】
上記目的を達成する本発明のシンボル作成プログラムは、
コンピュータに組み込まれてそのコンピュータを、操作に応じた位置に部品シンボルを配置して図面を作成するＣＡＤ装置で用いられる部品シンボルを作成するシンボル作成装置として動作させるシンボル作成プログラムであって、
上記コンピュータ上に、
複数のピンを備えた電子部品の各ピンが有する各属性が記載された一覧表を表した表データを入手する表データ入手部と、
表データ入手部で入手された表データが表す一覧表に記載された各属性と同じ属性を有する各シンボルピンを、電子部品を表した部品シンボルに、その一覧表における属性の記載位置に対応する配置で付与するシンボルピン配置部とを構築することを特徴とする。
【００１８】
本発明のシンボル作成プログラムによれば、本発明のシンボル作成装置をコンピュータによって容易に実現することができる。
【００１９】
なお、本発明にいうシンボル作成装置、ＣＡＤプログラム、およびシンボル作成プログラムについては、ここではその基本形態のみを示すのにとどめるが、これは単に重複を避けるためであり、本発明にいうシンボル作成装置、ＣＡＤプログラム、およびシンボル作成プログラムには、上記の基本形態のみではなく、前述したＣＡＤ装置の各形態に対応する各種の形態が含まれる。
【００２０】
また、本発明のＣＡＤプログラムおよびシンボル作成プログラムがコンピュータ上に構築する表データ入手部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００２１】
以上説明したように、本発明のＣＡＤ装置およびＣＡＤプログラムによれば高い作図効率が実現し、本発明のシンボル作成装置およびシンボル作成プログラムによればシンボルの作成が容易である。
【発明を実施するための最良の形態】
【００２２】
以下図面を参照して本発明の実施の形態を説明する。
【００２３】
以下説明する実施形態では、本発明のＣＡＤプログラムの一実施形態がパーソナルコンピュータに組み込まれて実行されることによってそのコンピュータが本発明のＣＡＤ装置の一実施形態として動作する。また、そのＣＡＤプログラムの一実施形態およびＣＡＤ装置の一実施形態は、それぞれ、本発明のシンボル作成プログラムの一実施形態およびシンボル作成装置の一実施形態を内包している。
【００２４】
図１は、本発明の一実施形態が適用されるコンピュータシステムを示す図である。
【００２５】
上述したように、本実施形態では、ＣＡＤ装置やシンボル作成装置がパーソナルコンピュータ１００上で実現される。
【００２６】
このパーソナルコンピュータ１００は、ＣＰＵ、ＲＡＭメモリ、ハードディスク等を内蔵した本体部１１０、本体部１１０からの指示により蛍光面１２１に画面表示を行う画像表示装置１２０、このパーソナルコンピュータ内にユーザの指示や文字情報を入力するためのキーボード１３０、蛍光面１２１上の任意の位置を指定することによりその位置に応じた指示を入力するマウス１４０を備えている。
【００２７】
本体部１１０は、さらに、外観上、フレキシブルディスク２００、ＣＤ−ＲＯＭ２１０（図１には図示せず；図２参照）が装填されるフレキシブルディスク装填口１１１およびＣＤ−ＲＯＭ装填口１１２を有しており、その内部には、装填されたフレキシブルディスクやＣＤ−ＲＯＭをドライブする、フレキシブルディスクドライブ１１６、ＣＤ−ＲＯＭドライブ１１７（図２参照）も搭載されている。
【００２８】
図２は、パーソナルコンピュータのハードウェア構成図である。
【００２９】
ここには、中央演算処理装置（ＣＰＵ）１１３、主メモリ１１４、ハードディスク装置１１５、フレキシブルディスクドライブ１１６、ＣＤ−ＲＯＭドライブ１１７、マウス１４０、キーボード１３０、および画像表示装置１２０が示されており、それらはバス１５０で相互に接続されている。
【００３０】
フレキシブルディスクドライブ１１６、ＣＤ−ＲＯＭドライブ１１７は、図１を参照して説明したように、フレキシブルディスク２００、ＣＤ−ＲＯＭ２１０が装填され、装填されたフレキシブルディスク２００、ＣＤ−ＲＯＭ２１０をアクセスするものである。
【００３１】
ここでＣＤ−ＲＯＭ２１０には、本発明のＣＡＤプログラムの一実施形態が記憶されており、このＣＤ−ＲＯＭ２１０が図１のＣＤ−ＲＯＭ装填口１１２から本体部１１０内に装填されると、ＣＤ−ＲＯＭドライブ１１７により、そのＣＤ−ＲＯＭ２１０からＣＡＤプログラムが読み込まれ、バス１５０を経由し、ハードディスク装置１１５に内に格納される。このハードディスク装置１１５内に格納されたＣＡＤプログラムが主メモリ１１４上にロードされてＣＰＵ１１３により実行されると、このパーソナルコンピュータは、本発明のＣＡＤ装置の一実施形態として動作する。
【００３２】
図３は、本発明のＣＡＤプログラムの一実施形態を示す図である。ここでは、このＣＡＤプログラム３００は、ＣＤ−ＲＯＭ２１０に記憶されている。
【００３３】
このＣＡＤプログラム３００は、図１に示すパーソナルコンピュータ１００内で実行され、そのパーソナルコンピュータ１００をいわゆるＣＡＤ装置として動作させるものであり、シンボルデータ読込部３１０とピンデータ入力部３２０とシンボル作成部３３０と作図部３４０とを有する。これらの要素のうちシンボルデータ読込部３１０、ピンデータ入力部３２０、およびシンボル作成部３３０は、本発明にいうシンボル作成プログラムの一実施形態を構成している。
【００３４】
このＣＡＤプログラム３００の各要素の詳細については後述する。
【００３５】
図４は、本発明のＣＡＤ装置の一実施形態の機能ブロック図である。
【００３６】
このＣＡＤ装置４００は、図３のＣＡＤプログラム３００が、図１に示すパーソナルコンピュータ１００にインストールされて実行されることにより構成されるものである。
【００３７】
このＣＡＤ装置４００はシンボルデータ読込部４１０とピンデータ入力部４２０とシンボル作成部４３０と作図部４４０と作成基準記憶部４５０とシンボル記憶部４６０とから構成されており、これらの要素のうちシンボルデータ読込部４１０、ピンデータ入力部４２０、シンボル作成部４３０、および作図部４４０は、図３に示すＣＡＤプログラム３００を構成する、シンボルデータ読込部３１０、ピンデータ入力部３２０、シンボル作成部３３０、および作図部３４０それぞれによってパーソナルコンピュータ１００上に構築されている。このように、図４に示すＣＡＤ装置４００の各要素は、図３に示すＣＡＤプログラム３００の各要素にそれぞれ対応するが、図４の各要素は、図１に示すパーソナルコンピュータ１００のハードウェアとそのパーソナルコンピュータで実行されるＯＳやアプリケーションプログラムとの組合せで構成されているのに対し、図３に示す各要素はそれらのうちのアプリケーションプログラムのみにより構成されている点が異なる。
【００３８】
なお、作成基準記憶部４５０およびシンボル記憶部４６０は、それぞれ、図２に示すハードディスク装置１１５および主メモリ１１４によって構成されている。
【００３９】
また、ＣＡＤ装置４００の要素のうちシンボルデータ読込部４１０、ピンデータ入力部４２０、シンボル作成部４３０、および作成基準記憶部４５０は、本発明のシンボル作成装置の一実施形態に相当し、本発明のＣＡＤ装置におけるシンボル作成機能を担っている。また、シンボルデータ読込部４１０およびシンボル作成部４３０は、それぞれ、本発明にいう表データ入手部およびシンボルピン配置部の各一例に相当する。
【００４０】
以下、図４に示すＣＡＤ装置４００の各要素の概略を説明する。
【００４１】
図４のＣＡＤ装置４００を構成するシンボルデータ読込部４１０では、電子部品を表したシンボルの各ピンが有する属性を一覧表形式で定義したシンボルデータが読み込まれる。本実施形態では、このようなシンボルデータは、ＣＡＤ装置４００のユーザが表計算ソフトウェアなどを用いて予め作成しているものとする。一方、ピンデータ入力部４２０では、ピンの属性が、従来と同様に各ピン毎にマウス操作やキーボード操作によって入力される。
【００４２】
シンボル作成部４３０は、シンボルデータ読込部４１０およびピンデータ入力部４２０のそれぞれからシンボルデータもしくは属性を受け取り、作成基準記憶部４５０に記憶されている作成基準を用いてシンボルを作成し、そのシンボルをシンボル記憶部４６０に格納する。
【００４３】
作図部４４０では、マウス操作やキーボード操作に従った作図処理が従来と同様に実行され、シンボル記憶部４６０に格納されているシンボルが適宜に読み出されて作図に利用される。
【００４４】
本実施形態のＣＡＤ装置４００は、基本的にはこのように構成されている。ここで、シンボルデータが表す一覧表の構成と、シンボル作成部４３０がシンボルデータに従ってシンボルを作成する手順について詳細に説明する。
【００４５】
図５は、シンボルデータが表す一覧表の構成を示す図である。
【００４６】
この一覧表５００には、部品ピン欄５１０とピン属性欄５２０とシンボルピン欄５３０とピン形状欄５４０と信号名欄５５０が左右対称に２セット設けられている。これら２セットの欄は、それぞれ、シンボルの左右それぞれに相当しており、これらの欄の各段は１つのピンに対応している。一覧表５００には、このことを視覚的に理解するためにシンボルの外形と引き出し線に相当する罫線が引かれているが、この罫線はＣＡＤ装置にとっては不要のものである。
【００４７】
部品ピン欄５１０には、実際の電子部品の各ピンに付与されているピン番号が記載される。
【００４８】
ピン属性欄５２０には、ピンの入出力形態などを表す文字が記載され、その文字としては、入力ピンを表す文字「Ｉ」と出力ピンを表す文字「Ｏ」と入出力ピンを表す文字「ＩＯ」と電源ピンを表す文字「Ｐ」とアースピンを表す文字「Ｇ」と不定を表す文字「Ｕ」がある。
【００４９】
シンボルピン欄５３０には、シンボル上で各ピンに付与される番号が記載される。
【００５０】
ピン形状欄５４０には、各ピンのシンボル上での形状を表す数値が記載され、その数値としては、通常のピン形状を表す数値「１」と出力反転のピン形状を表す数値「２」と入力反転のピン形状を表す数値「３」と論理反転のピン形状を表す数値「４」と出力のピン形状を表す数値「５」と入力のピン形状を表す数値「６」と双方向のピン形状を表す数値「７」と双方向出力のピン形状を表す数値「８」と双方向入力のピン形状を表す数値「９」とアナログのピン形状を表す数値「１０」と非論理のピン形状を表す数値「１１」がある。
【００５１】
信号名欄５５０には、各ピンに対して入出力される信号などを表した名称が記載される。
【００５２】
これらの欄には、空欄となっている段も存在する。例えば、シンボルピン番号の８８番と１０８番との間の段は空欄である。このような空欄は、シンボル上にはピンが存在しないで隙間が設けられるということを表している。
【００５３】
なお、本発明にいうピンの属性は、ピン属性欄５２０に記述されるものだけでなく、部品ピン欄５１０とピン属性欄５２０とシンボルピン欄５３０とピン形状欄５４０と信号名欄５５０とのそれぞれに記述されるものは、いずれも本発明にいうピンの属性の一例である。
【００５４】
ここに示すような一覧表は、段数が多いものであったとしても、表計算ソフトウェアなどに備えられた編集用の機能などが用いられることによって容易に作成可能である。
【００５５】
このような一覧表５００を表すシンボルデータが、図４に示すシンボルデータ読込部４１０によって読み込まれると、そのシンボルデータはシンボル作成部４３０に受け渡されてシンボルの作成に用いられる。
【００５６】
図６は、シンボル作成部４３０がシンボルデータに従ってシンボルを作成する手順を表すフローチャートである。このフローチャートを用いて手順を説明するに当たり、図５を適宜に参照する。
【００５７】
このフローチャートに示す手順は、シンボル作成部がシンボルデータを受け取ると開始され、先ず、作成基準４５１が、図４に示す作成基準記憶部４５０から読み込まれる（ステップＳ０１）。この作成基準４５１には、シンボル名や、シンボルの基本サイズや、ピンの配置間隔などが含まれており、シンボルデータが表している一覧表を解釈するためのフォーマットなども含まれている。
【００５８】
作成基準４５１が読み込まれると、次に、一覧表５００の信号名欄５５０に記載されている名称の文字数が数えられ、その名称を記述できるだけのシンボルの幅が算出される（ステップＳ０２）。更に、一覧表５００の左右２セットの欄それぞれについて、途中の空欄も含めた段数が数えられ、シンボルの高さが、段数の多い方に合わせて算出される（ステップＳ０３）。
【００５９】
その後、以下のステップＳ０４〜ステップＳ０６が、一覧表５００の行数（段数）分だけ繰り返される。
【００６０】
先ず、一覧表５００の１行分（１段分）が読まれ（ステップＳ０４）、次に、その行に属性が記載されている場合には、その記載行の位置に対応するシンボル上のＹ座標位置にピンを配置する。一覧表５００の１行には左右対称に２ピン分が記述されているので、シンボルの左右それぞれについて属性記載の確認とピン配置が行われる（ステップＳ０５）。そして、その行に記述されている属性が、そのピンの属性として設定される（ステップＳ０６）。シンボルの描画の際には、このように設定された属性が図面上で表現されることとなる。本実施形態では、属性のうちのピン番号や信号名は文字で表現され、ピンの入出力形態などはピンを表した図形形状で表現される。
【００６１】
その後、一覧表５００の行が無くなるまでは、ステップＳ０４に戻って上記の処理が繰り返される。
【００６２】
ステップＳ０４〜ステップＳ０６の処理が一覧表５００の全すべての行について繰り返されると、次に、シンボル名を書き込む位置と、このシンボルが占有して配線の描画などを排斥する領域が算出されて（ステップＳ０７）、シンボルの形状が完成する。
【００６３】
最後に、このように作成されたシンボルが、図４に示すシンボル記憶部４６０に格納される（ステップＳ０８）。
【００６４】
このように、本実施形態として説明したＣＡＤ装置では、一覧表で定義された属性に従ってシンボルが自動的に作成されるので、ピン選択と属性入力を各ピンで繰り返すことが不要となり、作業効率が向上する。
【００６５】
本実施形態の装置を実際に作図作業に適用したところ、作業時間の低減率で約８０％程度という大きな効果が得られている。
【００６６】
なお、上記説明では、本発明のシンボル作成装置およびシンボル作成プログラムそれぞれの一実施形態として、ＣＡＤ装置およびＣＡＤプログラムそれぞれの一部として組み込まれた形態が示されているが、本発明のシンボル作成装置およびシンボル作成プログラムは、ＣＡＤ装置およびＣＡＤプログラムから独立の装置やプログラムであっても良い。
【００６７】
また、上記説明では、従来と同様に各ピン毎の属性入力を受けるピンデータ入力部を備えたＣＡＤ装置が示されているが、本発明のＣＡＤ装置およびシンボル作成装置には、このピンデータ入力部は必須ではない。
【００６８】
また、上記説明では、一覧表が表計算ソフトウェアなどによって予め作成されている例が示されているが、本発明のＣＡＤ装置およびシンボル作成装置は、一覧表の作成機能を備えたものであっても良い。そのように一覧表の作成機能を備えた場合には、本発明にいう表データ入手部は、一覧表を内部的に入手することとなる。
【００６９】
また、上記実施形態では、本発明のＣＡＤプログラムおよびシンボル作成プログラムの実施形態を記憶する記憶媒体の一例としてＣＤ−ＲＯＭが示されているが、本発明のシンボル作成プログラムやシンボル作成プログラムを記憶する記憶媒体は、プログラムを記憶することができるものであればその種類を問うものではなく、例えばハードディスク装置の磁気ディスクであってもよく、あるいはフレキシブルディスクやＭＯディスクやＤＶＤであってもよく、あるいはカード型やテープ型の記憶媒体であってもよい。
【図面の簡単な説明】
【００７０】
【図１】本発明の一実施形態が適用されるコンピュータシステムを示す図である。
【図２】パーソナルコンピュータのハードウェア構成図である。
【図３】本発明のＣＡＤプログラムの一実施形態を示す図である。
【図４】本発明のＣＡＤ装置の一実施形態の機能ブロック図である。
【図５】シンボルデータが表す一覧表の構成を示す図である。
【図６】シンボル作成部がシンボルデータに従ってシンボルを作成する手順を表すフローチャートである。
【符号の説明】
【００７１】
１００    パーソナルコンピュータ
１１０    本体部
１１１    フレキシブルディスク装填口
１１２    ＣＤ−ＲＯＭ装填口
１１３    中央演算処理装置（ＣＰＵ）
１１４    主メモリ
１１５    ハードディスク装置
１１６    フレキシブルディスクドライブ
１１７    ＣＤ−ＲＯＭドライブ
１２０    画像表示装置
１２１    蛍光面
１３０    キーボード
１４０    マウス
１５０    バス
２００    フレキシブルディスク
２１０    ＣＤ−ＲＯＭ
３００    ＣＡＤプログラム
３１０    シンボルデータ読込部
３２０    ピンデータ入力部
３３０    シンボル作成部
３４０    作図部
４００    ＣＡＤ装置
４１０    シンボルデータ読込部
４２０    ピンデータ入力部
４３０    シンボル作成部
４４０    作図部
４５０    作成基準記憶部
４６０    シンボル記憶部
５００    属性の一覧表
５１０    部品ピン欄
５２０    ピン属性欄
５３０    シンボルピン欄
５４０    ピン形状欄
５５０    信号名欄
【図１】
2006059102.tif 000003
【図２】
2006059102.tif 000004
【図３】
2006059102.tif 000005
【図４】
2006059102.tif 000006
【図５】
2006059102.tif 000007
【図６】
2006059102.tif 000008